(57)【要約】【課題】空調装置用防振架台において、補強支持部材を設けることなく、整流機能を十分に発揮させる。【解決手段】空調装置用防振架台１は、空調装置が上載される架台１０と、この架台１０の下方で架台１０に対向配置されたベース１１と、架台１０及びベース１１の間に介在され、空調装置への振動伝達を低減するためのアイソレータ１２と、空調装置から吹き出されるエアーを整流するための整流板部１５とこの整流板部１５を補強支持する補強支持板部１６とを有し、ベース１１に取り外し可能に取り付けられた整流部材１４とを備えている。【選択図】図１
2010048434.tif 000002
【特許請求の範囲】
【請求項１】
空調装置が上載される架台と、該架台の下方で該架台に対向配置されたベースと、該架台及びベースの間に介在され、上記空調装置への振動伝達を低減するためのアイソレータとを備えている空調装置用防振架台であって、
上記空調装置から吹き出される空気を整流するための整流板部と該整流板部を補強支持する補強支持板部とを有し、上記ベースに取り外し可能に取り付けられた整流部材をさらに備えていることを特徴とする空調装置用防振架台。
【請求項２】
請求項１記載の空調装置用防振架台において、
上記架台及びベースは、溶融亜鉛めっきが施されていることを特徴とする空調装置用防振架台。
【請求項３】
請求項１又は２記載の空調装置用防振架台において、
上記整流部材は、溶融亜鉛めっきが施されていることを特徴とする空調装置用防振架台。
【請求項４】
請求項１〜３のいずれか１つに記載の空調装置用防振架台において、
上記整流板部及び補強支持板部は、別部材によって形成されていて、互いに結合されていることを特徴とする空調装置用防振架台。
【発明の詳細な説明】
【技術分野】
【０００１】
本発明は、空調装置が上載される架台と、該架台の下方で該架台に対向配置されたベースと、該架台及びベースの間に介在され、上記空調装置への振動伝達を低減するためのアイソレータとを備えている空調装置用防振架台に関するものである。
【背景技術】
【０００２】
従来から、空調装置用の防振架台が知られている（例えば特許文献１を参照）。この防振架台は、例えば床下に配線や配管を通した二重床構造のコンピュータルーム内に空調装置の室内機を設置する場合に用いられていて、室内機が上載される架台と、床下の基礎面の上に設置され、架台の下方で架台に対向配置されたベースと、架台及びベースの間に介在され、室内機への振動伝達を低減するためのアイソレータとを備えている。また、室内機は、床下にエアー（空気）を吹き出す構造となっていることから、ベースには、室内機から吹き出したエアーを整流するための整流板が取り付けられている。
【特許文献１】特開平３−１４４１４０号公報
【発明の開示】
【発明が解決しようとする課題】
【０００３】
ところで、防振架台では、整流板の形状を維持するため、整流板を補強支持する補強支持部材を設けるのが一般的であるが、この補強支持部材は、例えばベースに溶接される。
【０００４】
しかしながら、このように補強支持部材をベースに固定すると、補強支持部材の位置によって整流板の位置が拘束され、室内機によってエアーの吹出し位置が違う場合があるにも拘わらず、その吹出し位置によっては、整流板の整流機能を十分に発揮することができないという問題があった。
【０００５】
本発明は、かかる点に鑑みてなされたものであり、その目的とするところは、空調装置が上載される架台と、該架台の下方で該架台に対向配置されたベースと、該架台及びベースの間に介在され、上記空調装置への振動伝達を低減するためのアイソレータとを備えている空調装置用防振架台において、補強支持部材を設けることなく、整流機能を十分に発揮させることにある。
【課題を解決するための手段】
【０００６】
第１の発明は、空調装置が上載される架台と、該架台の下方で該架台に対向配置されたベースと、該架台及びベースの間に介在され、上記空調装置への振動伝達を低減するためのアイソレータとを備えている空調装置用防振架台であって、
上記空調装置から吹き出される空気を整流するための整流板部と該整流板部を補強支持する補強支持板部とを有し、上記ベースに取り外し可能に取り付けられた整流部材をさらに備えていることを特徴とするものである。
【０００７】
これにより、整流部材を、空調装置から吹き出される空気を整流するための整流板部と、この整流板部を補強支持する補強支持板部とで構成しているので、整流板部の形状を補強支持板部によって維持することができる。また、整流部材をベースに取り外し可能に取り付けているので、整流部材を空調装置の空気の吹出し位置に合わせて移動させることができる。以上から、補強支持部材を設けることなく、整流機能を十分に発揮させることができる。
【０００８】
第２の発明は、上記第１の発明において、上記架台及びベースは、溶融亜鉛めっきが施されていることを特徴とするものである。
【０００９】
ところで、架台及びベースに電気亜鉛めっきを施すと、電気亜鉛めっきからウィスカーが発生して飛翔し、コンピュータなどの電子機器に悪影響を与えるおそれがある。
【００１０】
ここで、本発明によれば、架台及びベースに溶融亜鉛めっきを施しているので、ウィスカーが発生せず、電子機器に悪影響を与えるのを抑制することができる。
【００１１】
また、従来のように、ベースに補強支持部材を固定している場合、ベースに溶融亜鉛めっきを施すと、その熱で補強支持部材が傾くおそれがあるが、本発明によれば、補強支持部材の代わりに、整流部材自体に補強支持板部を設けているので、そのような問題が発生しない。
【００１２】
第３の発明は、上記第１又は２の発明において、上記整流部材は、溶融亜鉛めっきが施されていることを特徴とするものである。
【００１３】
ところで、整流部材に電気亜鉛めっきを施すと、電気亜鉛めっきからウィスカーが発生して飛翔し、コンピュータなどの電子機器に悪影響を与えるおそれがある。
【００１４】
ここで、本発明によれば、整流部材に溶融亜鉛めっきを施しているので、ウィスカーが発生せず、電子機器に悪影響を与えるのを抑制することができる。
【００１５】
第４の発明は、上記第１〜３のいずれか１つの発明において、上記整流板部及び補強支持板部は、別部材によって形成されていて、互いに結合されていることを特徴とするものである。
【００１６】
これにより、整流板部及び補強支持板部を別部材によって形成しているので、これらを一体に形成する場合と比較して、整流部材を容易に形成することができる。この効果は、整流部材を直線折り曲げを行って形成する場合などに顕著になる。
【発明の効果】
【００１７】
本発明によれば、整流部材を、空調装置から吹き出される空気を整流するための整流板部と、この整流板部を補強支持する補強支持板部とで構成しているので、整流板部の形状を補強支持板部によって維持することができ、また、整流部材をベースに取り外し可能に取り付けているので、整流部材を空調装置の空気の吹出し位置に合わせて移動させることができ、以上から、補強支持部材を設けることなく、整流機能を十分に発揮させることができる。
【発明を実施するための最良の形態】
【００１８】
以下、本発明の実施形態を図面に基づいて詳細に説明する。
【００１９】
図１は、本発明の実施形態に係る空調装置用防振架台の斜視図であり、この防振架台１は、図示は省略するが、例えば、床下に配線や配管を通した二重床構造のコンピュータルーム内に空調装置の室内機２を設置する場合に用いられる。この室内機２は、床上に設置されており、床下にエアー（空気）を吹き出す構造となっている。
【００２０】
防振架台１は、床下に設置されており、その高さを床の高さに合わせて変更可能になっている。また、防振架台１は、図１〜図３に示すように、室内機２が上載されて取付固定される架台１０と、床下の基礎面の上に設置されて架台１０の下方で架台１０に所定間隔だけ開けて対向配置されたベース１１と、架台１０及びベース１１の間に介在されて室内機２への微細な振動伝達を低減するための複数（本実施形態では４つ）のアイソレータ（防振素子）１２，１２，…と、架台１０及びベース１１の間に介在されてベース１１に対する架台１０の上下方向の相対移動を規制するための複数（本実施形態では４つ。図１では３つのみ図示）のストッパ１３，１３，…とを備えている。
【００２１】
架台１０は、断面矩形状の複数の角形鋼板が組み合わされて構成され、枠状に形成されている。すなわち、架台１０は、矩形枠状の矩形枠部１０ａを有している。
【００２２】
一方、ベース１１は、格子枠状に形成されている。すなわち、ベース１１は、架台１０の矩形枠部１０ａと同じ大きさの、矩形枠状の矩形枠部１１ａと、矩形枠部１１ａにその長手方向略中央位置で、矩形枠部１１ａの短手方向と平行に架け渡された一組の第１梁部材１１ｂ，１１ｂと、矩形枠部１１ａの長手方向と平行に延びると共に、両第１梁部材１１ｂ，１１ｂの中央部同士を繋ぐ第２梁部材１１ｃとを有している。言い換えれば、第１梁部材１１ｂ，１１ｂと第２梁部材１１ｃとは、Ｈ字状に配置されている。矩形枠部１１ａは、断面矩形状の複数の角形鋼板が組み合わされて構成されており、矩形枠部１１ａの短手方向に延びる一組の短辺部１１ｄ，１１ｄと、矩形枠部１１ａの長手方向に延びる一組の長辺部１１ｅ，１１ｆとを有している。第１及び第２梁部材１１ｂ，１１ｃは、断面Ｌ字状のＬ字状鋼板によってそれぞれ構成されている。以下、矩形枠部１１ａの長手方向を「左右方向」と称し、矩形枠部１１ａの短手方向を「前後方向」と称する。また、架台１０及びベース１１は、溶融亜鉛めっきが施されている。
【００２３】
アイソレータ１２及びストッパ１３は、ベース１１の矩形枠部１１ａの四隅部にそれぞれ配置され、この矩形枠部１１ａによって支持されている。アイソレータ１２は、レベリングボルトが一体化された水平調整機構付きのものである。
【００２４】
防振架台１は、図１〜図４に示すように、ベース１１に取り外し可能に取り付けられた整流部材１４をさらに備えている。この整流部材１４は、室内機２から吹き出されるエアーを整流するための整流板部１５と、この整流板部１５を補強支持する補強支持板部１６とを有している。整流板部１５及び補強支持板部１６は、別部材によって形成されていて、互いに結合されている。
【００２５】
整流板部１５は、溶融亜鉛めっき鋼板（本実施形態では溶融亜鉛−アルミニウム−マグネシウム合金めっき鋼板）が汎用機で直線的に折り曲げられて構成されている。すなわち、整流板部１５は、水平方向に延びてベース１１に取り付けられる矩形状の取付部１５ａと、この取付部１５ａの後端から後方に延びて前方から後方に行くに従って上方に傾斜する矩形状の傾斜部１５ｂと、この傾斜部１５ｂの後端（上端）から上方に延びる矩形状の鉛直部１５ｃと、この鉛直部１５ｃの上端から後方に延びる矩形状の締結部１５ｄとを有している。傾斜部１５ｂは、室内機２の吹出し口の下方に対向配置される。
【００２６】
一方、補強支持板部１６は、溶融亜鉛めっき鋼板（本実施形態では溶融亜鉛−アルミニウム−マグネシウム合金めっき鋼板）が汎用機で直線的に折り曲げられて構成されている。すなわち、補強支持板部１６は、水平方向に延びて整流板部１５の締結部１５ｄに締結される矩形状の締結部１６ａと、この締結部１６ａの後端から下方に延びる矩形状の鉛直部１６ｂと、この鉛直部１６ｂの下端から後方に延びてベース１１に取り付けられる矩形状の取付部１６ｃとを有している。また、鉛直部１６ｂには、補強支持板部１６の剛性を向上させるため、Ｘ字状のビード１６ｄが形成されている。
【００２７】
そして、整流板部１５及び補強支持板部１６は、整流板部１５の締結部１５ｄを補強支持板部１６の締結部１６ａの上に乗せて、両締結部１５ｄ，１６ａに予め加工されたリベット用の穴の位置を合わせてリベット止めを行うことで、互いにリベット締結されている。すなわち、整流部材１４は、組み立て式のものである。本実施形態では、その締結箇所は３箇所である。尚、図１〜図４では、図を見易くするため、リベット用の穴及びリベット自体の図示を省略しており、その代わりに、図２（ａ）、図３（ａ）、図４（ａ）において、リベット締結箇所を十字で図示している。このことは、下記のリベットについても同様である。
【００２８】
また、整流部材１４は、整流部材１４をベース１１の上に乗せて、その取付部１５ａ，１６ｃに予め加工されたリベット用の穴をガイドにしてベース１１にドリルでリベット用の穴の加工を行った後、取付部１５ａ，１６ｃをベース１１にリベット止めすることで、ベース１１に取り付けられている。詳細には、整流板部１５の取付部１５ａの周縁部が、矩形枠部１１ａの前側長辺部１１ｅ、左右の第１梁部材１１ｂ，１１ｂ、及び第２梁部材１１ｃの上面にリベット締結されている。本実施形態では、その締結箇所は８箇所である。一方、補強支持板部１６の取付部１６ｃは、矩形枠部１１ａの後側長辺部１１ｆの上面にリベット締結されている。本実施形態では、その締結箇所は３箇所である。
【００２９】
そして、ベース１１に取り付けられた整流部材１４は、リベットを電動ドライバなどで取り外すことで、ベース１１から簡単に取り外すことができる。このように整流部材１４をベース１１から取り外した場合、整流部材１４は、上記と同じ方法を用いることで、ベース１１の、その取外し前の取付位置とは別の位置に取り付けることができる。勿論、整流部材１４は、その取外し前の取付位置と同じ位置に取り付けることもできる。
【００３０】
また、整流部材１４は、比較的高い固有周波数を持っており、このことで、所謂びびり音の発生を抑制することができる。
【００３１】
以上のように、整流部材１４の整流板部１５を全体として前方から後方に行くに従って上方に傾斜するように形成しているので、室内機２からのエアーは、整流板部１５に案内されて後方から前方に流れる（図１の矢印参照）。
【００３２】
−効果−
以上により、本実施形態によれば、整流部材１４を、空調装置の室内機２から吹き出されるエアーを整流するための整流板部１５と、この整流板部１５を補強支持する補強支持板部１６とで構成しているので、整流板部１５の形状を補強支持板部１６によって維持することができる。また、整流部材１４をベース１１に取り外し可能に取り付けているので、整流部材１４を室内機２のエアーの吹出し位置に合わせて移動させることができる。以上から、補強支持部材を設けることなく、整流機能を十分に発揮させることができる。
【００３３】
ところで、架台１０及びベース１１に電気亜鉛めっきを施すと、電気亜鉛めっきからウィスカーが発生して飛翔し、コンピュータなどの電子機器に悪影響を与えるおそれがある。
【００３４】
ここで、本実施形態によれば、架台１０及びベース１１に溶融亜鉛めっきを施しているので、ウィスカーが発生せず、電子機器に悪影響を与えるのを抑制することができる。
【００３５】
また、従来のように、ベースに補強支持部材を固定している場合、ベースに溶融亜鉛めっきを施すと、その熱で補強支持部材が傾くおそれがあるが、本実施形態によれば、補強支持部材の代わりに、整流部材１４自体に補強支持板部１６を設けているので、そのような問題が発生しない。
【００３６】
ところで、整流部材１４に電気亜鉛めっきを施すと、電気亜鉛めっきからウィスカーが発生して飛翔し、コンピュータなどの電子機器に悪影響を与えるおそれがある。
【００３７】
ここで、本実施形態によれば、整流部材１４に溶融亜鉛めっきを施しているので、ウィスカーが発生せず、電子機器に悪影響を与えるのを抑制することができる。
【００３８】
また、整流板部１５及び補強支持板部１６を別部材によって形成しているので、これらを一体に形成する場合と比較して、整流部材１４を容易に形成することができる。この効果は、本実施形態のように、整流部材１４を直線折り曲げを行って形成する場合に顕著になる。
【００３９】
（その他の実施形態）
上記実施形態では、整流部材１４をベース１１にリベット止めしているが、整流部材１４をベース１１から取り外すことができる限り、その取付手段は、リベット締結に限らない。
【００４０】
また、上記実施形態では、整流板部１５及び補強支持板部１６を別部材によって形成しているが、これらを一体に形成してもよい。但し、整流部材１４の製作容易性の観点からは、前者の方が望ましい。
【００４１】
さらに、上記実施形態では、整流部材１４を直線折り曲げを行って形成しているが、これに限らず、例えば、整流部材１４のうち整流板部１５を湾曲状に形成してもよい。但し、整流部材１４の製作容易性の観点からは、前者の方が望ましい。
【００４２】
さらにまた、上記実施形態では、整流部材１４にのみリベット用の穴を予め加工しているが、これに限らない。例えば、整流部材１４をベース１１に取り付ける際に、整流部材１４及びベース１１の両方にリベット用の穴の加工を行ってもよい。また、ベース１１に対する整流部材１４の取付位置が事前にあらかた決まっている場合は、整流部材１４及びベース１１の両方にリベット用の穴を予め加工しておいてもよい。さらに、整流部材１４に予め加工するリベット用の穴を長穴としてもよい。こうすれば、ベース１１に対する整流部材１４の取付位置を微調整することができる。
【００４３】
また、上記実施形態では、補強支持板部１６にビード１６ｄを形成しているが、整流部材１４が小さい場合、このようなビード１６ｄを形成しなくてもよい。
【００４４】
さらに、上記実施形態では、ベース１１に第１及び第２梁部材１１ｂ，１１ｃを形成しているが、これらを形成しなくてもよい。但し、整流部材１４の支持剛性の観点からは、前者の方が望ましい。
【００４５】
本発明は、実施形態に限定されず、その精神又は主要な特徴から逸脱することなく他の色々な形で実施することができる。
【００４６】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００４７】
以上説明したように、本発明にかかる空調装置用防振架台は、補強支持部材を設けることなく、整流機能を十分に発揮させる用途等に適用できる。
【図面の簡単な説明】
【００４８】
【図１】本発明の実施形態に係る空調装置用防振架台の斜視図である。
【図２】空調装置用防振架台を示す図であり、（ａ）は平面図であり、（ｂ）は正面図である。
【図３】整流部材を取り付けた状態のベースを示す図であり、（ａ）は平面図であり、（ｂ）は正面図であり、（ｃ）は側面図である。
【図４】整流部材を示す図であり、（ａ）は平面図であり、（ｂ）は側面図であり、（ｃ）は背面図である。
【符号の説明】
【００４９】
１    空調装置用防振架台
２    空調装置の室内機
１０  架台
１１  ベース
１２  アイソレータ
１４  整流部材
１５  整流板部
１６  補強支持板部
【図１】
2010048434.tif 000003
【図２】
2010048434.tif 000004
【図３】
2010048434.tif 000005
【図４】
2010048434.tif 000006